(57)【要約】【課題】遊技機２０および各端末機に関する過去の特定情報を、履歴情報としてホールマップ上にイメージとして再現することができる遊技場管理システムを提供する。【解決手段】管理サーバ１１０により、遊技場内に配設された複数の遊技機２０および端末機に関する特定情報を取得し、分析クライアント装置１２０に備えたホールナビ管理装置１４０により、特定情報のうちから履歴情報としてモニタ１３１のにホールマップ上の島レイアウトにイメージ化して表示する。【選択図】        図１
2005177304.tif 000002
【特許請求の範囲】
【請求項１】
遊技場内に配設された複数の遊技機および端末機の配置状態を表示する表示手段と、前記複数の遊技機および端末機に関する特定情報を取得し、当該複数の特定情報を分析するとともに、過去の参照情報として検索する検索情報管理装置とを有する分析用端末装置とを備えた遊技場管理システムであって、
前記検索情報管理装置は、
前記遊技機および端末機に関する過去の特定情報を履歴情報として検索する特定履歴情報検索手段と、
前記特定履歴情報検索手段により検索された特定履歴情報を、前記表示手段に再現表示する特定履歴情報再現手段と、
を備えたことを特徴とする遊技場管理システム。
【請求項２】
遊技場内に配設された複数の遊技機および端末機に関する特定情報を取得する管理サーバと、前記遊技機および端末機の配置状態を表示する表示手段と、前記管理サーバにより取得された複数の特定情報を分析するとともに、過去の参照情報として検索する検索情報管理装置とを有する分析用端末装置とを備えた遊技場管理システムであって、
前記管理サーバは、
前記遊技機および端末機に間する特定情報を収集する特定情報収集手段と、
前記特定情報を一定時間毎に記憶する特定履歴情報記憶手段とを備え、
前記分析用端末装置は、前記遊技機および端末機に間する特定情報をイメージ化して表示手段に表示する検索情報管理装置を備え、
前記検索情報管理装置は、
前記遊技機および端末機に関する過去の特定情報を履歴情報として検索する特定履歴情報検索手段と、
前記特定履歴情報検索手段により検索された特定履歴情報を、前記表示手段に再現表示する特定履歴情報再現手段と、
を備えたことを特徴とする遊技場管理システム。
【請求項３】
前記検索情報管理装置は、
前記遊技機に関する特定履歴情報に基づく、個別の詳細情報を所定の指示手段による指示に応じて、表示手段に表示する機能を備えていることを特徴とする請求項１または２に記載の遊技場管理システム。
【請求項４】
前記検索情報管理装置は、
前記指示手段により指定した所定の遊技機領域を部分的に拡大表示する拡大制御手段を備えることを特徴とする請求項１、２または３に記載の遊技場管理システム。
【請求項５】
前記拡大制御手段は、前記遊技機に関する特定情報による情報量を拡張して表示する特定情報拡張機能を備えることを特徴とする請求項４に記載の遊技場管理システム。
【請求項６】
前記特定履歴情報検索手段は、前記遊技機に関する特定履歴情報の検索日時を設定する検索日時設定手段を備えるとともに、前記特定履歴情報再現手段は、前記検索日時設定手段により設定された検索日時に基づいて、特定履歴情報の再現をおこなう機能を備えることを特徴とする請求項１〜５のいずれか一つに記載の遊技場管理システム。
【請求項７】
前記特定履歴情報再現手段は、前記検索日時設定手段により設定された検索日時を基点として、再現日時の早送り設定をおこなう早送り設定手段を備えることを特徴とする請求項１〜６のいずれか一つに記載の遊技場管理システム。
【発明の詳細な説明】
【技術分野】
【０００１】
本発明は、ホール内の複数の遊技機および各端末機による稼働情報などを、ホールマップ上に表示されたレイアウトイメージで管理をおこなう遊技場管理システムに関し、特に、分析クライアント装置に備えたホールナビ再現機能により、遊技機および各端末機に関する過去の特定履歴情報をアニメーションイメージとして再現することができる遊技場管理システムに関する。
【背景技術】
【０００２】
従来より、パチンコ店などの遊技場（以下、「ホール」と言う。）では、経営者などにより、ホール内に配設された複数の遊技機や各種の端末機（玉計数機、カード精算機など）による個別の特定情報（出玉、稼働状況、レシート発行数など）を管理するための遊技場管理システムが構築されている。
【０００３】
かかる遊技場管理システムとしては、ホールの事務所内に設けたターミナルコントローラのモニタ画面により、ホール内の複数の遊技機および各端末機による稼働情報などを、ホールマップ上で色別に区分されたイメージ情報として表示するホールナビゲーションシステム（以下、「ホールナビシステム」と言う。）が知られている。
【０００４】
このようなホールナビシステムの場合、ホール内に設置された各遊技機の稼働情報などを管理サーバが定期的に取得するとともに、ホールナビプログラムの起動により、モニタ画面に表示されたホールマップ上に、ホール全体の遊技機の稼動状況や会員による遊技状況などを視覚的なイメージ情報として確認および管理をおこなうことができる。
【０００５】
また、この種の従来技術として、例えば、特許文献１には、複数の遊技機に係わる遊技機の履歴情報などを記憶手段に記憶しておき、これら複数の遊技機の状態が変動した際に、記憶した複数の遊技機に係わる情報を更新するように構成した遊技場の電子管理装置が開示されている。この従来技術の場合、ホール内のレイアウトイメージにより遊技機の台履歴情報などが、時々刻々、更新されたリアルデータ（最新情報）としてモニタ画面に表示することができるので、遊技機の変動に追従して、効率良く複数の遊技機の状況を把握し、遊技場全体の稼働状況を管理することができる。
【０００６】
【特許文献１】特開平１１−７０２４８号公報
【発明の開示】
【発明が解決しようとする課題】
【０００７】
しかしながら、上述した従来の遊技場管理システムの場合には、以下のような問題がある。すなわち、上述したホールナビシステムを利用する遊技場管理システムの場合、ホール内で常時変動する複数の遊技機による稼働状況などをモニタ画面で確認するためには、ホールナビシステム（プログラム）の起動はもとより、モニタ画面に常時、ホールナビ画面を表示させておく必要がある。
【０００８】
ところが、このモニタ画面には、ホールナビ画面以外にも、ホール内の売上管理画面や会員登録画面など他の管理画面も適宜表示する必要があるため、ホールナビシステムを利用して、イメージ情報を参照する間（時間）は、他の管理機能を使用することができないうえ、他のアプリケーションプログラムの起動による設定画面などを表示することができないという問題がある。また、ホールの管理者（経営者）などにより常時モニタ画面を見ながらイメージ情報の確認をおこなう必要があり、利便性の点で問題がある。
【０００９】
以上のように、従来のホールナビシステムを利用した遊技場管理システムの場合では、ナビゲーションプログラムの起動によるホールナビ画面の表示を常時監視する必要があるうえ、不正などが発生した状況がモニタ画面に表示されても、この不正が発生した日時および遊技機を正確に特定することができないうえ、見逃してしまう恐れもあるという問題がある。また、常に最新の情報のみを表示するようにしているため、過去に蓄積した情報は、更新により消去されることから、この過去の履歴情報を参照することができないという大きな問題がある。
【００１０】
この発明は、上記従来技術による課題を解決するためになされたものであり、遊技機および各端末機に関する過去の特定履歴情報をホールマップ上にアニメーションイメージにより再現表示することができる遊技場管理システムを提供することを目的とする。
【課題を解決するための手段】
【００１１】
上述した課題を解決し、目的を達成するために、請求項１に記載の発明は、遊技場内に配設された複数の遊技機および端末機の配置状態を表示する表示手段と、前記複数の遊技機および端末機に関する特定情報を取得し、当該複数の特定情報を分析するとともに、過去の参照情報として検索する検索情報管理装置とを有する分析用端末装置とを備えた遊技場管理システムであって、前記検索情報管理装置は、前記遊技機および端末機に関する過去の特定情報を履歴情報として検索する特定履歴情報検索手段と、前記特定履歴情報検索手段により検索された特定履歴情報を、前記表示手段に再現表示する特定履歴情報再現手段と、を備えたことを特徴とする。
【００１２】
また、請求項２に記載の発明は、遊技場内に配設された複数の遊技機および端末機に関する特定情報を取得する管理サーバと、前記遊技機および端末機の配置状態を表示する表示手段と、前記管理サーバにより取得された複数の特定情報を分析するとともに、過去の参照情報として検索する検索情報管理装置とを有する分析用端末装置とを備えた遊技場管理システムであって、前記管理サーバは、前記遊技機および端末機に間する特定情報を収集する特定情報収集手段と、前記特定情報を一定時間毎に記憶する特定履歴情報記憶手段とを備え、前記分析用端末装置は、前記遊技機および端末機に間する特定情報をイメージ化して表示手段に表示する検索情報管理装置を備え、前記検索情報管理装置は、前記遊技機および端末機に関する過去の特定情報を履歴情報として検索する特定履歴情報検索手段と、前記特定履歴情報検索手段により検索された特定履歴情報を、前記表示手段に再現表示する特定履歴情報再現手段と、を備えたことを特徴とする。
【００１３】
また、請求項３に記載の発明は、請求項１または２に記載の発明において、前記検索情報管理装置は、前記遊技機に関する特定履歴情報に基づく、個別の詳細情報を所定の指示手段による指示に応じて、表示手段に表示する機能を備えていることを特徴とする。
【００１４】
また、請求項４に記載の発明は、請求項１、２または３に記載の発明において、前記検索情報管理装置は、前記指示手段により指定した所定の遊技機領域を部分的に拡大表示する拡大制御手段を備えることを特徴とする。
【００１５】
また、請求項５に記載の発明は、請求項４に記載の発明において、前記拡大制御手段は、前記遊技機に関する特定情報による情報量を拡張して表示する特定情報拡張機能を備えることを特徴とする。
【００１６】
また、請求項６に記載の発明は、請求項１〜５のいずれか一つに記載の発明において、前記特定履歴情報検索手段は、前記遊技機に関する特定履歴情報の検索日時を設定する検索日時設定手段を備えるとともに、前記特定履歴情報再現手段は、前記検索日時設定手段により設定された検索日時に基づいて、特定履歴情報の再現をおこなう機能を備えることを特徴とする。
【００１７】
また、請求項７に記載の発明は、請求項１〜６のいずれか一つに記載の発明において、前記特定履歴情報再現手段は、前記検索日時設定手段により設定された検索日時を基点として、再現日時の早送り設定をおこなう早送り設定手段を備えることを特徴とする。
【発明の効果】
【００１８】
本発明の請求項１に記載の発明によれば、遊技場内に配設された複数の遊技機および端末機の配置状態を表示する表示手段と、前記複数の遊技機および端末機に関する特定情報を取得し、当該複数の特定情報を分析するとともに、過去の参照情報として検索する検索情報管理装置とを有する分析用端末装置とを備えた遊技場管理システムであって、検索情報管理装置は、特定履歴情報検索手段により遊技機および端末機に関する過去の特定情報を履歴情報として検索し、特定履歴情報検索手段により検索された特定履歴情報を、特定履歴情報再現手段により表示手段に再現表示するので、遊技機および端末機に関する過去の特定履歴情報を色別に区分されたアニメーションイメージにより容易且つ正確に確認できるという効果を奏する。また、ホールナビメイン画面を常にモニタに表示し、監視する必要がないため、ホールナビメイン画面以外の他のアプリケーション機能を使用することができ、これにより、管理者の負担を軽減することができるという効果を奏する。
【００１９】
本発明の請求項２に記載の発明によれば、遊技場内に配設された複数の遊技機および端末機に関する特定情報を取得する管理サーバと、前記遊技機および端末機の配置状態を表示する表示手段と、前記管理サーバにより取得された複数の特定情報を分析するとともに、過去の参照情報として検索する分析用端末装置とを備えた遊技場管理システムであって、管理サーバは、特定情報収集手段により遊技機および端末機に間する特定情報を収集し、特定履歴情報記憶手段により特定情報を一定時間毎に記憶し、分析用端末装置は、特定履歴情報検索手段により遊技機および端末機に関する過去の特定情報を履歴情報として検索し、特定履歴情報再現手段により特定履歴情報検索手段により検索された特定履歴情報を、表示手段に再現表示するので、遊技機および端末機に関する過去の特定履歴情報を色別に区分されたアニメーションイメージにより容易且つ正確に確認できるという効果を奏する。また、検索情報管理装置で表示するホールナビメイン画面を常にモニタに表示し、監視する必要がないため、ホールナビメイン画面以外の他のアプリケーション機能を使用することができ、これにより、管理者の負担を軽減することができるという効果を奏する。
【００２０】
また、請求項３に記載の発明によると、前記検索情報管理装置は、前記遊技機に関する特定履歴情報に基づく、個別の詳細情報を所定の指示手段による指示に応じて、表示手段に表示する機能を備えているので、遊技機および端末機に関する詳細な情報を容易且つ正確に確認できるという効果を奏する。
【００２１】
また、請求項４に記載の発明によると、前記検索情報管理装置は、前記指示手段により指定した所定の遊技機領域を部分的に拡大表示する拡大制御手段を備えるので、大型店など遊技機の保有台数が多い場合でも、モニタに多数の遊技機をレイアウト表示することができ、各遊技機の台番号を拡大して確認できるうえ、個別の遊技機に関する特定情報も容易に取得して確認および管理をおこなうことができるという効果を奏する。
【００２２】
また、請求項５に記載の発明によると、前記拡大制御手段は、前記遊技機に関する特定情報の情報量を拡張して表示する情報量拡張機能を備えるので、遊技機および端末機に関する特定情報を自動的に拡張した情報として、参照することができるという効果を奏する。
【００２３】
また、請求項６に記載の発明によると、前記特定履歴情報検索手段は、前記遊技機に関する特定履歴情報の検索日時を設定する検索日時設定手段を備えるとともに、前記特定履歴情報再現手段は、前記検索日時設定手段により設定された検索日時に基づいて、特定履歴情報の再現をおこなう機能を備えるので、不正や異常が発生した遊技機或いは端末機を再現機能により正確に特定できるうえ、不正や異常の発生日時刻なども正確に取得できるという効果を奏する。また、過去の特定情報に関する履歴情報を任意に参照することができるうえ、遊技機に対する不正などが発生した日時および遊技機を特定することができるため、不正防止対策の向上を図ることができるという効果を奏する。
【００２４】
また、請求項７に記載の発明によると、特定履歴情報再現手段は、検索日時設定手段により設定された検索日時を基点として、再現日時の早送り設定をおこなう早送り設定手段を備えるので、遊技機および端末機に関する詳細な情報を容易且つ正確に確認できるうえ、操作性を向上できるという効果を奏する。
【発明を実施するための最良の形態】
【００２５】
以下に、添付図面を参照して、この発明に係る遊技場管理システムの好適な実施例を詳細に説明する。なお、以下に示す実施例では、本発明に係る遊技場管理システムの概要および特徴を説明した後に、この遊技場管理システムの構成を説明し、次いで、ホールナビ管理装置（特許請求の範囲の「検索情報管理装置」に相当する）の操作手順および遊技場管理システムによる制御手順を説明することとする。また、実施例としては、遊技媒体貸出システムをパチンコ遊技およびスロット遊技をおこなうパチンコホール（遊技場）に適用した場合を示すこととする。なお、以下に示す実施例によりこの発明が限定されるものではない。
【実施例】
【００２６】
（遊技場管理システムの概要および特徴）
まず最初に、本実施例に係る遊技場管理システムの概要および特徴を説明する。図１は、本実施例に係るホールナビ管理装置１４０（図２）を含んだ遊技場管理システムの構成を示すシステム構成図である。なお、ここで例示する遊技場管理システムでは、プリペイドカード（一般カード）と会員用に発行されている会員カードによる遊技玉の貸し出しが適用されるものとする。
【００２７】
同図に示すように、この遊技場管理システムは、遊技店（ホール）の事務所に設置するターミナルコントローラ１００を中心として、このターミナルコントローラ１００と島コントローラ５０に通信接続される複数の遊技機２０および各種の端末機（カード発行機４１、カード精算機４２、金庫４３・・・）とを通信回線を接続して構成されている。
【００２８】
ターミナルコントローラ１００は、管理サーバ１１０と分析クライアント装置１２０（請求項の「分析用端末装置」に対応）とを備えており、管理サーバ１１０により複数の遊技機２０および各端末機に関する特定情報を取得（収集）し、分析クライアント装置１２０に備えたホールナビ管理装置１４０（図２）によるホールナビ再現機能により遊技機２０および各端末機に関する過去の特定履歴情報をアニメーションイメージとして、モニタ１３１上に参照（再現）できるようにしている。
【００２９】
この主たる特徴を具体的に説明すると、分析クライアント装置１２０は、ホールナビ管理装置１４０（図２）を備えており、このホールナビ管理装置１４０は、管理サーバ１１０が過去に取得した遊技機２０および端末機に関する特定情報を、任意に履歴情報として検索により抽出し、参照（再現）する機能を備えている。すなわち、ホールナビ管理装置１４０により、ホールナビ管理プログラムが起動していなくても、一定時間毎で遊技機２０および端末機に関する特定情報を記憶し履歴情報としてデータベースに蓄積しているため、任意に履歴情報の抽出（参照）が可能であり、この抽出された特定情報は、ホールマップ上にアニメーションイメージとして再現することができる。
【００３０】
従って、前述した従来技術の例で言えば、複数の遊技機２０に関する特定の履歴情報などが変動した際に、この記憶した特定情報を更新するのではなく、過去に取得した遊技機２０および端末機による特定情報を履歴情報としてモニタ１３１上に再現できるようにしたので、上記した主たる特徴のように、過去に取得した遊技機２０および端末機に関する特定情報をホールマップ上にアニメーションイメージとして再現することが可能となる。
【００３１】
また、本実施例に係る遊技場管理システムは、上記の主たる特徴に関連して以下に列挙するような特徴も付加的に備えるものである。つまり、本実施例では、ホールナビメイン画面において、過去の特定履歴情報を参照（再現）する「再現時刻」の設定を任意におこなうことができる。すなわち、これによって、遊技機２０および端末機に関する重要な情報を見逃すことなく、適宜過去に遡って、この重要な情報を確認することが可能となる。
【００３２】
また、本実施例では、テンキーによる遊技機２０の機番入力（台番号設定）やマウスなどにより指定（クリック）した個別の遊技機２０による詳細情報を詳細情報画面に表示させることができる。すなわち、これによって、個別の遊技機に関する詳細な特定情報を容易に取得し、確認および管理をおこなうことが可能となる。
【００３３】
また、本実施例では、マウスなどにより指定（クリック）した所定の遊技機領域を部分的に拡大表示する拡大制御機能（表示領域拡大機能）を備えている。すなわち、これによって、大型店など遊技機２０の保有台数が多い場合でも、モニタ１３１に多数の遊技機２０をレイアウト表示することが可能となる。また、この拡大機能により各遊技機２０の台番号を拡大して確認できるうえ、これにともなって、個別の遊技機２０に関する特定情報も容易に取得して確認および管理をおこなうことが可能となる。
【００３４】
さらに、この拡大制御機能は、表示領域を視覚的に拡大する機能の他に、特定の遊技機２０に対する情報量の拡張機能も備えるようにしている。すなわち、これによって、マウスなどにより指定（クリック）した所定の遊技機領域を部分的に拡大表示するとともに、特定の遊技機２０に対する情報量の拡張を同時におこなうことができる。
【００３５】
（遊技場管理システムの構成）
次に、本実施例に係る遊技場管理システムの構成を詳細に説明する。図１は、本発明の実施例における遊技場管理システムを示すシステム構成図である。同図に示すように、本実施例の遊技場管理システムでは、遊技店内（ホール）に、それぞれ「島」と呼ばれるグループごとに複数のパチンコ機２０およびカード処理ユニット３０が並設してあるとともに、各島内の管理をおこなう島コントローラ５０と、この島コントローラ５０から各種の情報が送信されるターミナルコントローラ１００とにより構成されている。
【００３６】
また、各島内の所定の位置には、所定の機能を備えた複数の端末機が適宜設けられている。図１では、このような端末機として、カード発行機４１、カード精算機４２、金庫４３、玉計数機４４、両替機４５、玉貸機４６が設置されている状態を示している。以上のように、ターミナルコントローラ１００は、ホール内の複数の遊技機２０による情報を収集する島コントローラ５０と各種の端末機とが通信接続されており、島コントローラ５０は、複数の遊技機２０および端末機から送信される特定情報を取得して収集し、これら収集した特定情報をターミナルコントローラ１００に送信する機能を備えている。
【００３７】
パチンコ機２０は、パチンコ玉を遊技領域に発射して遊技客が遊技をおこなう部分である。カード処理ユニット３０は、遊技店に設置された複数のパチンコ機２０のそれぞれに対して１台ずつペアとなるように用意され、パチンコ機２０の相互間に挟まれる形で設置してあり、会員カードや一般カードに関連づけられた残存する度数を上限とするパチンコ玉の貸し出し処理、並びに会員カードおよび一般カードに関連付けられたそれぞれの度数に対する加算処理をおこなう機能を備えている。
【００３８】
カード発行機４１は、遊技客により投入された有価価値（金額）に応じて、その金額分の一般カード（プリペイドカード）の発行処理、並びに会員カードおよび一般カードに関連づけられたそれぞれの度数に対する加算処理を機能を備えている。
【００３９】
カード精算機４２は、会員カードや一般カードに関連付けられた度数を現金として払い戻す機能を備えている。金庫４３は、島端に据置されており、島内のカード処理ユニット等から回収された硬貨や紙幣を収納する機能を備えている。
【００４０】
玉計数機４４は、遊技客が獲得した玉数の計数をおこない、玉数を印字したレシートや玉数を記憶した玉数カードを発行する機能を備えている。両替機４５は、一万円などの高額紙幣を千円札或いは５００円硬貨に両替する機能を備えている。玉貸機４６は、遊技場内の島端等に設置されるもので、貨幣を受け入れてパチンコ玉を払い出す機能を備えている。
【００４１】
上述したパチンコ機２０、カード処理ユニット３０および各端末機（カード発行機４１、カード精算機４２、金庫４３・・・）は、各島に設けた島コントローラ５０を通じてターミナルコントローラ１００の制御下にある。
【００４２】
すなわち、ターミナルコントローラ１００は、遊技店の事務所内に少なくとも１台設置してあり、店内全体を管理するコンピュータとして動作し、パチンコ玉の貸し出しに関わる統括管理、例えばカード管理、会員の管理、売上管理等をおこなうとともに、会員カードおよび一般カード個々の残度数に関する情報を記憶・管理する機能を備えている。そして、本実施例では、分析クライアント装置１２０に備えたホールナビ管理装置１４０によるホールナビ再現機能により、複数の遊技機２０および端末機に関する特定情報の参照に基づいて、遊技場全体の管理を効率良く管理する機能を備えている。
【００４３】
すなわち、ホール内に設置された複数の遊技機２０および端末機に関する特定情報は、島コントローラ６０に送信されるとともに、この島コントローラ６０からターミナルコントローラ１００に送信される。このターミナルコントローラ１００に送信された複数の特定情報は、管理サーバ１１０により記憶されるとともに、所定のデータベースに格納される。
【００４４】
以下、図２を参照して、ターミナルコントローラ１００の構成および機能の詳細を説明する。図２は、ターミナルコントローラ１００の内部構成を示す機能ブロック図である。図２に示すように、ターミナルコントローラ１００は、管理サーバ１１０と分析クライアント装置１２０とにより構成されている。管理サーバ１１０は、島コントローラ５０から送信される複数の遊技機２０および各端末機に関する特定情報とを取得し、収集する機能を備えている。
【００４５】
ここで、遊技機２０に関する特定情報とは、個別の遊技機２０による詳細な情報であり、アウト玉数、セーフ玉数、売上金額（度数）、出玉数、始動回数、特賞回数、高確発生回数、出玉率、割数、稼動状態であるか非稼働状態であるか、遊技者が会員であるか非会員であるか、遊技者の性別、不正行為の発生可否などの情報を示している。
【００４６】
また、端末機に関する特定情報とは、個別の端末機（カード発行機４１、カード精算機４２、金庫４３、玉計数機・・・）による詳細な情報であり、例えば、カード発行機４１では、発行金額別のカード売上枚数／カード売上金額などの情報を示し、金庫４３では、金庫毎の金種別収納金額、金庫毎の合計収納金額などの情報を示し、両替機４５では、金種別の入金額、金種別の出金額などの情報を示している。これら、遊技機２０および各端末機による特定情報は、蓄積情報として、後述する各データベース（遊技機情報データベース１１７、玉計数機情報データベース１１８、金庫情報データベース１１９に格納される。後述するように、本実施例によると、モニタ１３１に表示されるホールマップ上に、遊技機２０および端末機に関する特定情報をイメージ化して容易に判別および確認できるものとしている。
【００４７】
管理サーバ１１０は、特定情報取得部１１４と、特定情報収集部１１５と、記憶部１１６と、各種に分類されたデータベース（遊技機情報データベース１１７、玉計数機情報データベース１１８、金庫情報データベース１１９・・・）とを備えている。特定情報取得部１１４は、島コントローラ５０から送信される特定情報を取得する機能を備えている。特定情報収集部１１５は、特定情報取得部１１４により取得した特定情報を収集する機能を備えている。
【００４８】
記憶部１１６は、特定情報収集部１１５により収集された特定情報を、時系列的な履歴情報として一定時間毎に記憶する機能を備えており、この記憶部１１６により記憶された複数の特定情報は、各データベース（遊技機２０情報データベース１１７、玉計数機情報データベース１１８、金庫情報データベース１１９・・・）に分類されて格納される。各データベース１１７〜１１９には、それぞれ該当する種別の特定情報を格納する機能を備えている。具体的に説明すると、遊技機情報データベースには、個別の遊技機２０による売上金額（度数）、出玉数、始動回数、特賞回数などが格納され、玉計数機情報データベース１１８には、計数値の合計、レシートの発行枚数の情報などが格納される。
【００４９】
分析クライアント装置１２０は、管理サーバ１１０により取得（収集）された遊技機２０および端末機に関する特定情報を時系列的な履歴情報として任意に分析／検索し、参照する機能を備えている。具体的には、この分析クライアント装置１２０に備えたホールナビ管理装置１４０によるホールナビ再現機能により遊技機２０および各端末機に関する過去の特定履歴情報をアニメーションイメージとして、モニタ１３１上に参照（再現）できるようにしている。このため、分析クライアント装置１２０は、主制御部１３０と、モニタ１３１と、入力部１３２と、外部記憶部１３３（ハードディスク）と、出力部１３４と、ホールナビ管理装置１４０とを備えている。
【００５０】
モニタ１３１は、ＣＲＴや液晶ディスプレイからなり、操作ガイダンスや必要な情報を表示するホールナビメイン画面１５０（図５）によりホール内の遊技機２０および端末機によるレイアウトイメージの再現表示機能を備えている。
【００５１】
表示制御手段１３１ａは、管理サーバ１１０により取得された複数の遊技機２０や各端末機に関する特定情報をイメージ化してモニタ１３１に表示する表示制御機能を備えている。
【００５２】
入力部１３２は、各種の情報を入力するキーボード、マウス及びトラックボールなどの指示入力手段（入力用デバイス）であり、主に、遊技店のオーナーまたは経営者などの遊技店の経営に携わる者からの操作手段として使用される。
【００５３】
出力部１３４はプリンタなどの印刷手段であり、モニタ１３１に表示されるホールナビメイン画面１５０（図５）や各種の管理情報の印字および会員情報に関する登録画面などを印字（プリント）する機能を備えている。
【００５４】
外部記憶部（ハードディスク）１３３は、本発明によるホールナビ管理装置１４０を起動するホールナビ起動プログラム、ホール全体の売上を管理する売上管理プログラム、会員の動向を管理する会員管理プログラム、景品の推移を管理する景品管理プログラムなどの遊技場管理システムに必要な管理プログラムが格納されており、これら各起動プログラムは、後述する管理画面設定メニュー１３８（図４）により設定し、起動を開始させることができる。また、この外部記憶部１３３には、上記各種の起動プログラム以外にも、ホール内のホールマップを作成してモニタ１３１に表示するためのホールマップ情報ファイル、フロア情報ファイル、島構成情報ファイルなどが格納されている。
【００５５】
次に、ホールナビ管理装置１４０の構成および機能の詳細を説明する。図３は、ホールナビ管理装置１４０の内部構成である機能ブロック図を示している。ホールナビ管理装置１４０は、ホール内に設置された遊技機２０および端末機に関する過去の特定情報を履歴情報として検索し、抽出する機能を備えている。すなわち、同図に示すように、ホールナビ管理装置１４０は、特定履歴情報検索部１４１と、特定履歴情報抽出部１４２と、検索日時設定部１４３と、特定履歴情報再現部１４４と、詳細特定情報算出部１４５と、拡張特定情報算出部１４６とを備えている。
【００５６】
特定履歴情報検索部１４１は、遊技機２０および端末機に関する過去の特定情報を履歴情報として検索する機能を備えている。
【００５７】
特定履歴情報抽出部１４２は、特定履歴情報検索部１４１により検索された遊技機および端末機に関する過去の特定情報を該当する参照情報の設定（参照情報設定欄１５２）に基づいて、抽出する機能を備えている。検索日時設定部１４３は、遊技機２０に関する過去の特定履歴情報の検索日時を設定する機能を備えている。
【００５８】
特定履歴情報再現部１４４は、特定履歴情報抽出部１４２により抽出された特定履歴情報を、モニタ１３１に再現表示する機能を備えている。また、この特定履歴情報再現部１４４は、検索日時設定部１４３により設定された検索日時に基づいて、特定履歴情報の再現をおこなう機能および検索日時設定部１４３により設定された検索日時を基点として、再現日時の早送り設定をおこなう早送り設定機能および早戻り設定をおこなう早戻り設定機能とを備えている。これら検索日時の設定および早送り設定、早戻り設定は、ナビゲーションウィンドウ１６０（図６）の設定によりおこなう。
【００５９】
詳細特定情報算出部１４５は、個別の遊技機２０或は端末機による詳細な情報を算出する機能を備えている。この詳細特定情報算出部１４５により算出された個別の詳細情報は、台詳細情報画面２００（図１２）により一覧で表示することができる。拡張特定情報算出部１４６は、島レイアウト内の所定の遊技機領域を拡大表示する機能および詳細情報の情報量を拡張する機能を備えている。
【００６０】
次に、図４および図５を参照して、ホールナビ管理装置１４０（ホールナビ管理プログラム）の起動により、分析クライアント装置１２０のモニタ１３１に表示されるホールナビメイン画面１５０（図５）について説明する。
【００６１】
図４は、分析クライアント装置１２０の電源ＯＮ時に、モニタ１３１に表示される管理メニュー設定画面１３８の１例を示している。同図に示すように、表示モニタ１３１には、管理メニュー設定画面１３８として「ホールナビ管理」、「売上管理」、「会員管理」、「景品管理」・・・などの管理項目を選択する複数の設定メニューが表示される。本例では、この管理メニュー設定画面１３８の中から「ホールナビ管理」を選択することにより、分析クライアント装置１２０のモニタ１３１上にホールナビメイン画面１５０（図５）を表示させることができる。
【００６２】
具体的には、管理メニュー設定画面１３８に表示されている「ホールナビ管理」のアイコンをマウスにより指定し、クリックすることにより、ホールナビ管理装置１４０が起動するため、モニタ１３１にホールナビメイン画面１５０（図５）が表示されるものとなる。
【００６３】
図５は、分析クライアント装置１２０のモニタ１３１に表示されるホールナビメイン画面１５０の一例を示している。このホールナビメイン画面１５０は、画面フィールド１５１上にホール内の島レイアウトをレイアウトイメージとして、複数（本例では、３００台）の遊技機２０の配置とともに表示する機能を備えている。
【００６４】
また、このホールナビメイン画面１５０において、複数の遊技機２０内に付記された数字は、遊技機２０の機番（本例では、１００番〜３９９番）を表している。また、この図５では、１階（１Ｆ）のホールの島レイアウトおよび遊技機２０の配置状態を表示している。ここで、図５の実施例では、島レイアウトとともに、複数の遊技機２０の配置状態のみを表示しているが、これら遊技機２０以外に端末機（カード精算機４２、金庫４３、玉計数機４４・・・）の配置状態（配置レイアウト）も適宜表示することができる。
【００６５】
図５に示すように、ホールナビメイン画面１５０は、参照情報設定ボタン１５２、フロア階数設定ボタン１５３、台番号設定欄１５４、凡例非表示設定ボタン１５５、レビューボタン１５６、ズームインボタン１５７、ズームアウトボタン１５８、終了ボタン１５９とを備えている。
【００６６】
参照情報設定ボタン１５２は、参照する特定情報を設定する機能を備えている。参照する特定情報の種別としては、非稼働、稼働、稼働（会員）、特賞、特賞（会員）、高確中、高確中（会員）、打止・打止終了、異常、窓枠開閉の１０種類がある（図６の凡例項目表示一覧１７０参照）。例えば、この参照情報設定ボタン１５２により、「会員稼働」を選択すると、複数の遊技機２０のうち、会員が遊技をおこなっている遊技機２０が対象となり、該当する遊技機２０（台番号）のアニメーションイメージが色別に表示される。なお、実際には、「異常」、「打止・打止終了」、「窓枠開閉」などに関する情報は、緊急性を有する情報でああるため、参照情報設定ボタン１５２による設定がなくても常時表示される。
【００６７】
フロア階数設定ボタン１５３は、モニタ１３１に表示する遊技店のホール階数（１Ｆ〜４Ｆなど）を選択して設定するボタンで、図５の例では、遊技店の１Ｆの島レイアウトの表示とともに、この島レイアウトに設置された複数（図５の例では、３００台）の遊技機２０が設置されたホールマップの表示が設定されたことを示している。
【００６８】
台番号設定１５４は、遊技機２０の台番号を入力部１４４（図２）によるテンキー入力で直接遊技機２０の台番号を設定するためのボタンで、後述するように、この台番号設定欄１５４に入力された遊技機２０の番号を対象とする詳細情報を取得し、ホールナビメイン画面１５０に台情報詳細画面２００（図１２）に表示することができる。
【００６９】
凡例非表示選択ボタン１５５は、この凡例非表示選択ボタン１５５の押下（ＯＮ）により、凡例項目表示一覧１７０を画面フィールド１５１上に表示／非表示させる機能を備えている。図６は、凡例項目表示一覧１７０を示している。すなわち、この凡例項目表示一覧１７０は、遊技機２０に関する複数の特定情報を色別に区分した一覧表である。この凡例としては、非稼働、稼働、稼働（会員）、特賞、特賞（会員）、高確率、高確率（会員）、打ち止め、異常、窓枠開閉などが色の区別により表記されている。
【００７０】
レビューボタン１５６は、複数の遊技機２０および端末機に関する現時点および過去の特定履歴情報を参照し再現表示させるための設定ボタンであり、このレビューボタン１５６の押下（ＯＮ）により画面フィールド１５１上にナビゲーションウィンドウ１６０（図７）をポップアップ表示させることができる。
【００７１】
図７に示すように、ナビゲーションウィンドウ１６０は、時刻設定欄１６１と、再現表示ボタン１６２と、遷移設定ボタン１６４、１６５と、停止ボタン１６３と、終了ボタン１６６とを備えている。時刻設定欄は１６１は、ホールナビ管理装置１４０による過去の特定情報による検索日時を設定する欄で、テンキー入力により、時刻を入力することができる。再現表示ボタン１６２は、アニメーションイメージを開始する機能および停止状態を再度、再現する機能を備えている。
【００７２】
遷移ボタン１６４、１６５は、その時点で保持している最終時間帯にイメージ表示を遷移させるおよび最初の時間帯に遷移する機能を備えている。停止ボタン１６３は、再現表示ボタン１６２によ再現を停止させる機能を備えている。後述するように、遊技機２０別の詳細情報は、再現表示を一旦停止することによりおこなう。終了ボタン１６５は、ナビゲーションウィンドウ１６０による機能および表示を閉じる機能を備えている。
【００７３】
図５に戻り、再度、各設定ボタンの詳細を説明する。ズームインボタン１５７は、ホールマップ上にレイアウトされた所定の遊技機領域を部分的に拡大して表示する機能を備えている。このズームインボタン１５７の押下（ＯＮ）により、ホールナビメイン画面１５０の画面フィールド１５１に対して、部分的に拡大されたレイアウトイメージを表示することができる（図１４参照）。
【００７４】
ここで、本例では、ズームインボタン１５７の押下（ＯＮ）により部分的な拡大表示をおこなうものとしているが、このズームインボタン１５７の操作により、遊技機２０および端末機に関する特定情報の情報量を拡張する情報量拡張機能を備えるようにしてもよい。この場合、遊技機２０および端末機に関する特定情報を自動的に拡張した情報として、参照することができる。
【００７５】
ズームアウトボタン１５８は、ズームインボタン１５７により拡大表示されたホールマップ上の特定の領域を、元の大きさに復帰させて表示する機能を備えている。終了ボタン１５９は、ホールナビメイン画面１５０の表示を終了させる機能を備えている。なお、実際には、前述したように、このホールナビメイン画面１５０の表示を終了させても、ホールナビ機能による特定情報の蓄積は、停止することなく一定時間毎の特定情報の蓄積はおこなわれるものとなる。また、このズームインボタン１５７は、拡大機能により各遊技機２０の台番号を拡大して確認できるほか、これにともなって、個別の遊技機２０に関する特定情報の情報量を拡張する機能も備えている。
【００７６】
以下、図８〜図１３を参照して、ホールナビメイン画面１５０によるホールナビ機能の設定および操作の詳細を説明する。図８は、ホールナビメイン画面１５０（図５）の表示時にレビューボタン１５６を押下（ＯＮ）した際の表示画面例を示している。すなわち、前述したように、レビューボタン１５６の押下（ＯＮ）により、ナビゲーションウィンドウ１６０を画面フィールド１５１上にポップアップ表示させることができる。
【００７７】
また、図９は、図８に示したナビゲーションウィンドウ１６０の表示時に、このナビゲーションウィンドウ１６０の再現表示ボタン１６２の押下（ＯＮ）により表示されるホールナビメイン画面１５０の一例を示している。
【００７８】
すなわち、この図９では、ナビゲーションウィンドウ１６０の再現表示ボタン１６２の押下（ＯＮ）により、１Ｆのホールマップ上に配設された複数の遊技機２０に関する特定情報が表示された画面例を示している（本例では、凡例による全部の色区分表示を示している）。具体的には、このホールナビメイン画面１５０には、「１２：３０」時点でのホール内の各遊技機２０による特定情報が凡例項目表示一覧１７０に対応した色別に区分されて表示されるものとなる。
【００７９】
例えば、参照情報設定欄１５３に、「打止・打止終了」が設定された場合には、この「打止・打止終了」に該当する遊技機２０に対するアニメーションイメージ（色別表示）が、凡例項目表示一覧１７０で設定された色区分に対応して表示されることとなる。なお、前述したように、凡例項目表示一覧１７０の表示は、凡例非表示ボタン１５５の押下（ＯＮ）の切り換えにより非表示とすることができる。
【００８０】
また、同図に示すように、この再現表示ボタン１６２の押下（ＯＮ）時、画面フィールド１５１上には、稼動状況表示ウィンドウ１８０が表示される。この稼動状況表示ウィンドウ１８０は、ホール全体の各遊技機２０（パチンコ機Ｐ、パチスロ機Ｓ）による全体の稼動状況（稼働、総数、稼働率、会員別稼働率、割数）を算出して、一覧表示する機能を備えている。ホールの管理者は、この稼動状況表示ウィンドウ１８０の表示を見ることにより、ホール全体の稼働率を瞬時に把握することができる。
【００８１】
また、このナビゲーションウィンドウ１６０では、過去の再現時刻を再現時刻設定欄１６１により設定することができる。図１０は、ナビゲーションウィンドウ１６０の再現時刻設定欄１６１に「１０：３０」と入力し、次いで、再現表示ボタン１６２の押下（ＯＮ）により表示されるホールナビメイン画面１５０を示している。同図に示すように、ホールナビメイン画面１５０には、図９に示す「１２：３０」から過去に遡って、「１０：３０」時点でのホール内の複数の遊技機２０による特定情報が凡例項目表示一覧１７０に対応した色別にアニメーション表示させることができる。
【００８２】
また、このホールナビメイン画面１５０では、各遊技機２０別の詳細な特定情報を一覧として台詳細情報画面２００に表示させることができる。図１１は、遊技機２０別の詳細特定情報を表示するために、台番号設定欄１５４に遊技機２０の台番号「１２０」がキーボードによりテンキー入力された操作の一例を示している。なお、この操作方法以外にも、再現表示を途中で停止させ、ある特定の遊技機２０による詳細な情報を参照したい場合には、対象となる遊技機２０のアイコンをクリックすることで、その時点での遊技機２０の詳細情報を台詳細情報画面２００に表示させることができる。
【００８３】
図１２は、台詳細情報画面２００を示している。この台詳細情報画面２００は、コーナー詳細ボタン２０１と、機種詳細ボタン２０２と、異常発生履歴ボタン２０３と、特賞履歴参照ボタン２０４と、会員データ参照ボタン２０５と、終了ボタン２０６と、台番号表示欄２１０と、機種番号表示欄２２０と、コーナー番号表示欄２３０と、機種名表示欄２４０と、コーナー名表示欄２５０と、個別遊技機情報欄２６０と、個別情報表示欄２７０とを備えている。ここで、コーナーとは、ホール内に設けた特定の遊技機２０が配設された遊技領域を示し、例えば、女性専用の遊技領域（レディースコーナー）や甘釘コーナーなどを示している。このように、本実施例では、遊技機２０の機種が異なる遊技領域であっても、コーナーとして区分された領域毎に参照する特定情報に対する管理を詳細におこなうことができる。
【００８４】
また、前台ボタン２８０は、設定した遊技機２０の前の遊技台の詳細画面を表示するためのボタン、次台ボタン２９０は、設定した遊技機２０の次の遊技台の詳細画面を表示するためのボタンであり、１２０番であるとすると、次台ボタン２９０の設定（押下）により、台詳細情報画面２００には、１２１番の遊技機２０を対象とする詳細画面に切換えて表示させることができる。
【００８５】
ここで、図１２は、個別の遊技機２０に関する詳細情報であるが、遊技機２０以外に端末機に関する詳細な情報も、モニタ１３１上に表示することができる。図１３は、金庫４３による金庫詳細情報画面３００を示している。この図１３の例では、金庫４３の機番「２０番」の金庫４３をクリックにより選択した場合にポップアップ表示される。
【００８６】
すなわち、図１３に示すように、金庫詳細情報画面３００は、選択した金庫番号を表示する金庫番号欄３３０、金庫に収納された貨幣の合計金額を表示する金庫合計欄３４０、サンド（カード処理ユニット４１）に投入さた合計金額を表示するサンド合計欄３５０、金庫に収納された金額の合計とサンドに投入された金額の合計との差額を表示する誤差表示欄３６０、金種（１０００円、５００円、１００円）の内訳を、それぞれ表示する内訳表示欄３７０とを備えている。
【００８７】
異常発生履歴ボタン３１０は、詳細情報を選択した金庫を対象として、何らかの異常が発生したことを表示させる機能を備えている。また、終了ボタン３２０の選択（クリック）により、金庫情報詳細画面３００は終了し、モニタ１３１による表示は、ナビゲーションメイン画面１５０に復帰する。
【００８８】
なお、本例では、複数の端末機のうち金庫４３を選択（マウスによるクリック）した場合の詳細情報の表示例を示しているが、当然、他の端末機（カード精算機４４、玉計数機４５・・・）を対象とする詳細情報の画面（玉計数機詳細情報画面、カード精算機詳細画面・・・）なども、図１３と同様に、モニタ１３１上にポップアップ表示させるようにしてもよい。例えば、ホールマップ上の玉計数機をクリックした場合には、玉計数機詳細情報画面が、カード精算機をクリックした場合には、カード精算機詳細画面をそれぞれ表示することとなる。
【００８９】
また、端末機としては、本実施例で示した端末機の他に自動販売機用の会員端末機、たばこ交換機、会員情報端末機、再プレイメダル貸機、再プレイ玉貸機、景品管理機、会員カード端末機などの特定情報についても、イメージ化した管理をおこなうことができる。
【００９０】
次いで、図１４は、ズームインボタン１５７の押下（ＯＮ）によりモニタ１３１に表示される画面例を示している。すなわち、従来では、ホール内に設置する遊技機２０の台数は、３００台程度であったが、現在では６００台〜１２００台の遊技機２０を保有する大型店も存在する。このような大型店のフロア全体のホールマップを１つの画面に表示すると、個々の遊技機の表示が小さくなってしまい、台番号などの識別が困難になる。そのため、本例では、ズームインボタン１５７を備えている。図１４は、島レイアウト内の遊技機２０領域の上部をマウスによりクリックした例を示している。これにより、遊技機２０領域が拡大表示されるため、遊技機２０の台番号を目視により容易に確認することができ、特定の遊技機２０の台番号を指定して選択することが可能となる。
【００９１】
以上のように、ホール内に設置される遊技機２０の台数が多い増大した場合でも、スームインボタン１５７の設定（押下）により、対象となる遊技機２０の領域（マップ）を部分的に拡大して表示させることができ、これによって、視覚的な確認による利便性を向上することが可能となる。また、前述したように、このズームインボタン１５７の押下（ＯＮ）により、所定の遊技機領域を部分的に拡大表示するとともに、特定の遊技機２０に対する情報量の拡張を同時におこなうようにしてもよい。具体的には、通常には、通常サイズの表示であれば、各遊技機の台番号が表示されるだけであるが、拡大表示した場合には、それぞれの台番号に加えて、出玉率などの詳細情報の一部を表示するものである。このときに、どのような情報を付加表示するかは、予め設定されているものとする。
【００９２】
（ホールナビ管理装置による遊技場の管理手順）
以下、図１５を参照して、上述した遊技場管理システムにおける遊技場の管理手順について詳細に説明する。図１５は、分析クライアント装置１２０に備えたホールナビ管理装置１４０による遊技場の管理手順の詳細を示すフローチャートである。本フローチャートでは、管理サーバ１１０とホールナビ管理装置１４０との間でおこなわれる詳細な制御手順を示している。
【００９３】
先ず、管理サーバ１１０では、島コントローラ５０から送信される複数の遊技機２０および端末機（カード精算機４２、金庫４３、玉計数機４４・・・）に関する特定情報を特定情報収集部１１５（図２）により取得し（ステップＳ１００）、これらの特定情報を記憶部１１６（図２）に記憶する（ステップＳ１１０）。
【００９４】
ここで、前述したように管理サーバ１１０により収集される特定情報は、遊技機２０に係る遊技機情報、玉計数機に係る玉計数機の特定情報、金庫に関する金庫情報、カード発行機に関するカード発行機情報などを示している。なお、前述したように、本例では、ホールナビ管理装置１４０によるナビゲーションプログラムが起動していなくても、また、ホールナビメイン画面１５０がモニタ１３１に表示されていなくても、管理サーバ１１０による各特定情報の取得および収集（記憶）は一定時間毎におこなわれる。
【００９５】
次いで、ステップＳ１１０により記憶された複数の特定情報を種類別（遊技機２０に関する情報、玉計数機に関する情報など）に分類し（ステップＳ１２０）、それぞれの分類された特定情報を各データベース（遊技機情報データベース１１７、玉計数機情報データベース１１８、金庫情報データベース１１９・・・）に格納する（ステップＳ１３０）。この管理サーバ１１０による特定情報の蓄積は、一定時間毎におこない、それぞれの特定情報は、時系列な履歴情報として各データベース１１７、１１８、１１９に格納する。
【００９６】
一方、分析クライアント装置１２０においては、ホールナビ管理装置１４０（ホールナビ管理プログラム）を起動するとともに、管理サーバ１１０に格納された各データベース１１７〜１１９から対象となる特定情報を特定履歴情報として抽出する制御がおこなわれる。すなわち、図１５のフローチャートに示すように、ホールナビ管理装置１４０の起動（ホールナビメイン画面１５０の表示）により（ステップＳ１４０肯定）、モニタ１３１に表示されるホールナビメイン画面１５０（図８参照）の設定による参照情報の設定（参照情報設定欄１５２に対する設定）が有るか否かの判定により（ステップＳ１５０）、この参照情報の設定が有る場合には（ステップＳ１５０肯定）、設定された参照情報に基づいて、対象となる特定情報の要求信号を管理サーバ１１０に対して送信する（ステップＳ１６０）。
【００９７】
以下、管理サーバ１１０では、ステップＳ１６０による分析クライアント装置１２０から送信された特定履歴情報の要求信号を受信すると（ステップＳ１５５肯定）、前記ステップＳ１２０により分類されたデータベース内の特定履歴情報を分析クライアント装置１２０に送信する（ステップＳ１５６）。
【００９８】
一方、分析クライアント装置１２０は、ステップＳ１５６により、管理サーバ１１０から送信された特定履歴情報の中から対象となる特定履歴情報を検索するとともに、該当する特定履歴情報の抽出をおこなう（ステップＳ１７０）。この特定履歴情報の検索は、特定履歴情報検索部１４１（図３）により、特定履歴情報の抽出は、特定履歴情報抽出部１４２（図３）によりそれぞれ実行される。そして、この特定履歴情報抽出部１４２により抽出された特定情報は、凡例項目表示一覧１７０に対応した色別情報としてホールマップ上にアニメーションイメージとして表示されるものとなる（ステップＳ１８０）。
【００９９】
具体的に説明すると、例えば、参照情報設定欄１５２（図５）に、「非稼働」が設定された場合、ホールナビ管理装置１４０は、管理サーバ１１０から送信された遊技機情報データベース１１７（図２）内の遊技機２０に関する特定情報の中から対象となる特定履歴情報（現時点で稼働していない遊技機２０の機番情報）を検索し抽出する。以下、抽出された遊技機２０の機番に基づいて、ホールナビメイン画面１５０（ホールレイアウト）において、アニメーションイメージによる表示が実行されるものとなる。すなわち、非稼働の遊技機２０の台番号が「１００〜１１５」であるとすると、ホールマップ上の表示レイアウトは台番号「１００〜１１５」が「非稼働」を表す「白色」として表示される。実際には、参照情報設定欄１５２（図５）に、「非稼働」が設定後、再生表示ボタン１６２が押下（ＯＮ）されることによりアニメーションによるイメージ表示が実行されるものとなる。
【０１００】
また、ナビゲーションウィンドウ１６０の再現時刻設定欄１６３（図１０）に「再現時刻」が設定された場合には（例えば、図１０に示す「１０：３０」）、この設定された時刻に「非稼働」となっている遊技機２０の機番情報が検索され抽出された後、上述したと同様に該当する遊技機２０の台番号に基づく、アニメーションイメージによる表示が実行されるものとなる。
【０１０１】
再度、図１５のフローチャートに戻り、遊技場管理システムにおける管理手順を説明する。すなわち、ステップＳ１９０により、遊技機２０或いは端末機に対する「詳細情報の要求（詳細情報設定）」が有るか否かの判定をおこなう（ステップＳ１９０）。具体的には、台番号設定欄１５４に対するテンキー入力が有るか否かの判定をおこない（ステップＳ１９０）、この台番号設定欄１５４に対する機番の入力が有る場合、或は、マウスによりクリックされた遊技機２０が有る場合には（ステップＳ１９０肯定）、対象となる遊技機２０の台情報詳細画面２００をモニタ１３１に表示する（ステップＳ２００）。
【０１０２】
以上説明したように、本発明の遊技場管理システムによれば、ターミナルコントローラ１００は、管理サーバ１１０と分析クライアント装置１２０とを備えており、管理サーバ１１０により複数の遊技機２０および各端末機に関する特定情報を取得（収集）し、分析クライアント装置１２０に備えたホールナビ管理装置１４０によるホールナビ再現機能により遊技機２０および各端末機に関する過去の特定履歴情報をアニメーションイメージとして、モニタ１３１上に参照（再現）できるようにしているので、遊技機２０および端末機に関する過去の特定履歴情報を色別に区分されたアニメーションイメージにより容易且つ正確に確認できることができる。
【０１０３】
なお、本実施例において、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０４】
以上のように、本発明にかかる遊技場管理システムは、遊技機２０および各端末機に関する過去の特定履歴情報をホールマップ上にイメージとして再現することができる遊技場管理システムに適している。
【図面の簡単な説明】
【０１０５】
【図１】本発明の実施例に係る遊技場管理システムを示すシステム構成図である。
【図２】ターミナルコントローラの内部構成を示す機能ブロック図である。
【図３】ホールナビ管理装置の内部構成を示す機能ブロック図である。
【図４】管理メニュー設定画面の一例を示す図である。
【図５】ホールナビメイン画面および島レイアウトイメージの一例を示す図である。
【図６】凡例項目表示一覧の画面例を示す図である。
【図７】ナビゲーションウィンドウの画面例を示す図である。
【図８】ナビゲーションウィンドウが表示されたホールナビメイン画面を示す図である。
【図９】レビューボタン押下時のホールナビメイン画面の一例を示す図である。
【図１０】ホールナビメイン画面の一例を示す図である（再現時刻設定時）。
【図１１】ホールナビメイン画面の一例を示す図である（遊技機台番号設定時）。
【図１２】台詳細情報画面の一例を示す図である。
【図１３】金庫詳細情報画面の一例を示す図である。
【図１４】ズームインボタン押下時のホールナビメイン画面の一例を示す図である。
【図１５】実施例に係る遊技場管理システムの処理手順を示すフローチャートである。
【符号の説明】
【０１０６】
２０  遊技機
３０  カード処理ユニット
４１  カード発行機
４２  カード精算機
４３  金庫
４４  玉計数機
４５  両替機
４６  玉貸機
５０  島コントローラ
１００  ターミナルコントローラ
１１０  管理サーバ
１１３  外部記憶部
１１４  特定情報取得部
１１５  特定情報収集部
１１６  記憶部
１１７  遊技機情報データベース
１１８  玉計数機情報データベース
１１９  金庫情報データベース
１２０  分析クライアント装置
１３０  主制御部
１３１  モニタ
１３２  入力部
１３３  外部記憶装置
１３４  出力部
１３８  管理メニュー設定画面
１４０  ホールナビ管理装置
１４１  特定履歴情報検索部
１４２  特定履歴情報抽出部
１４３  検索日時設定部
１４４  特定履歴情報再現部
１４５  詳細特定情報算出部
１４６  拡張特定情報算出部
１５０  ホールナビメイン画面
１５１  画面フィールド
１５２  参照情報設定ボタン
１５３  フロア階数設定ボタン
１５４  台番号設定欄
１５５  凡例非表示設定ボタン
１５６  レビューボタン
１５７  ズームインボタン
１５８  ズームアウトボタン
１５９、１６６、２０６、３２０  終了ボタン
１６０  ナビゲーションウィンドウ
１６１  時刻設定欄
１６２  再生ボタン
１６３  停止ボタン
１６４、１６５  遷移ボタン
１７０  凡例項目表示一覧
１８０  稼働状況表示ウィンドウ
２００  台情報詳細画面
２０１  コーナー詳細ボタン
２０２  機種詳細ボタン
２０３  異常発生履歴ボタン
２０４  特賞履歴参照ボタン
２０５  会員データ参照ボタン
２１０  台番号表示欄
２２０  機種番号表示欄
２３０  コーナー番号ボタン
２８０  前台ボタン
２９０  次台ボタン
３００  金庫詳細情報画面
３１０  異常発生履歴ボタン
３３０  金庫番号表示欄
３４０  金庫合計表示欄
３５０  サンド合計表示欄
３６０  誤差表示欄
３７０  内訳表示欄
【図１】
2005177304.tif 000003
【図２】
2005177304.tif 000004
【図３】
2005177304.tif 000005
【図４】
2005177304.tif 000006
【図５】
2005177304.tif 000007
【図６】
2005177304.tif 000008
【図７】
2005177304.tif 000009
【図８】
2005177304.tif 000010
【図９】
2005177304.tif 000011
【図１０】
2005177304.tif 000012
【図１１】
2005177304.tif 000013
【図１２】
2005177304.tif 000014
【図１３】
2005177304.tif 000015
【図１４】
2005177304.tif 000016
【図１５】
2005177304.tif 000017